(57)【要約】【課題】視聴者が動画の映像に対して容易に意思表示を行うことができ、動画に対する意見を的確に判断することができる動画スタンプシステムを提供する。【解決手段】本発明の動画スタンプシステムは、複数の動画データが蓄積され動画データの送出を行う動画サーバ１と、複数のスタンプ画像データが蓄積されスタンプ画像データの送出を行うとともに動画上へ付与されたスタンプの種類・時間・座標等を記録するスタンプサーバ２と、動画を再生するとともにスタンプの付与を行う端末装置３とを少なくとも備える。【選択図】図１
2015073175.tif 000002
【特許請求の範囲】
【請求項１】
動画データを送出する動画サーバと、前記動画データに対してスタンプとして付与可能なスタンプ画像データを送出するスタンプサーバと、端末装置とを有し、
スタンプサーバは、端末装置からの要求に応じて動画サーバが端末装置へ動画データを送出するよう要求するとともに端末装置へスタンプ画像データを送出し、
端末装置において動画データが再生されスタンプ付与の操作がされると、スタンプサーバは、選択されたスタンプの種類、スタンプが付与された時間、スタンプが付与された座標をスタンプ付与データとして記録し、
端末装置において動画データが再生されると過去に付与されたスタンプを動画画面に重ねて再生する
ことを特徴とする動画スタンプシステム。
【請求項２】
スタンプ付与データとして、スタンプの大きさを記録する請求項１記載の動画スタンプシステム。
【請求項３】
前記スタンプ画像データは、静止画データまたは動画データであることを特徴とする請求項１または２に記載の動画スタンプシステム。
【請求項４】
動画データを送出する動画サーバと、前記動画データに対してスタンプとして付与可能なスタンプ画像データを送出するスタンプサーバと、端末装置とを有する動画スタンプシステムにおける端末装置であって、
前記スタンプ画像データを記憶するスタンプ画像データ記憶部と、
前記スタンプ画像データ記憶部に記憶されたスタンプ画像データに対し、スタンプ画像データをユーザが選択する選択指示を受け付ける入力部と、
前記選択指示にしたがって選択されたスタンプ画像データのスタンプＩＤと、当該スタンプ画像データが付与された時点の動画再生時間であるスタンプ付与時間と、付与されたスタンプの動画上の座標であるスタンプ付与座標とを、スタンプ付与データとして前記スタンプサーバに送信する送信部と、
前期スタンプ付与データを記憶するスタンプ付与データ記憶部と、
前記スタンプサーバから送出されるスタンプ画像データとスタンプ付与データとを受信する受信部と、
前記受信部が受信したスタンプ付与データのうち、前記動画データの再生時間に対応するスタンプ付与時間が設定されたスタンプ付与データのスタンプＩＤを読み出し、読み出したスタンプＩＤに対応するスタンプ画像データを前記スタンプ画像データ記憶部から読み出し、前期スタンプ付与時間とスタンプ付与座標とにしたがって、動画データの再生時間にあわせて出力するスタンプ画像出力部とを
備えたことを特徴とする動画スタンプシステムの端末装置。
【請求項５】
動画データを送出する動画サーバと、前記動画データに対してスタンプとして付与可能なスタンプ画像データを送出するスタンプサーバと、端末装置とを有する動画スタンプシステムにおけるスタンプサーバであって、
前記スタンプ画像データを記憶するスタンプ画像データ記憶部と、
前記端末装置から送信されるスタンプＩＤと、当該スタンプＩＤに関連づけされたスタンプ画像データが付与された時点の動画再生時間であるスタンプ付与時間と、付与されたスタンプの動画上の座標であるスタンプ付与座標とをスタンプ付与データとして受信する受信部と、
前記スタンプ付与データを記憶するスタンプ付与データ記憶部と、
前記スタンプ付与データ記憶部に記憶されたスタンプ付与データを端末装置に送出するスタンプ付与データ送出部と、
前記スタンプ画像データ記憶部に記憶された前記スタンプ画像データを端末装置に送出するスタンプ画像データ送出部と、
を有することを特徴とする動画スタンプシステムのスタンプサーバ。
【請求項６】
動画データを送出する動画サーバと、前記動画データに対してスタンプとして付与可能なスタンプ画像データを送出するスタンプサーバと、端末装置とを有する動画スタンプシステムにおける端末装置のスタンプ送信方法であって、
前記動画サーバから端末装置に送出された動画データに対応する１以上のスタンプＩＤと、当該スタンプが付与された時点の動画再生時間をスタンプ付与時間と、付与されたスタンプの動画上の座標であるスタンプ付与座標とをスタンプ付与データとして前記スタンプサーバから端末装置に送信し、
前記１以上のスタンプＩＤに対応する１以上のスタンプ画像データを前記スタンプサーバから端末装置に送信し、
端末装置は、前記１以上のスタンプ画像データを、前記スタンプ付与時間とスタンプ付与座標とにしたがって、動画データの再生時間にあわせて出力するとともに、
前記動画サーバから端末装置に送出され再生された動画データに対して新たに付与された１以上のスタンプに関するスタンプＩＤと、当該スタンプが付与された時点の動画再生時間をスタンプ付与時間と、付与されたスタンプの動画上の座標であるスタンプ付与座標とをスタンプ付与データとして前記端末装置から前記スタンプサーバに送信する
ことを特徴とする動画スタンプシステムのスタンプ送信方法。
【請求項７】
動画データを送出する動画サーバと、前記動画データに対してスタンプとして付与可能なスタンプを送出するスタンプサーバと、端末装置とを有する動画スタンプシステムにおける端末装置のコンピュータを、
前記スタンプ画像データ記憶部に記憶されたスタンプ画像データに対し、ユーザから付与するスタンプを選択する選択指示を受け付ける手段、
前記動画サーバから送出された動画データに対し、前記選択指示にしたがって、前記スタンプ画像データ記憶部から選択されたスタンプのスタンプＩＤと、当該スタンプがスタンプとして付与された時点の動画再生時間をスタンプ付与時間と、付与されたスタンプの動画上の座標であるスタンプ付与座標とをスタンプ付与データとして前記スタンプサーバに送信する手段、
前記スタンプサーバから送出されるスタンプ付与データを受信する受信手段、
前記受信したスタンプ付与データのうち、前記動画データの再生時間に対応するスタンプ付与時間が設定されたスタンプ付与データのスタンプＩＤを読み出し、読み出したスタンプＩＤに対応するスタンプ画像データを、スタンプ画像データ記憶部から読み出すスタンプ画像データ読み出し手段、
前記読み出したスタンプ画像データを、前記スタンプ付与時間とスタンプ付与座標とにしたがって、動画データの再生時間にあわせて出力するスタンプ画像データ出力手段、
として機能させることを特徴とする動画スタンプシステムのプログラム。
【発明の詳細な説明】
【技術分野】
【０００１】
本発明は、動画スタンプシステムに関する。
【背景技術】
【０００２】
インターネット等を通じて送出される動画に対して、視聴者が自由にコメントをテキスト情報として付与することができる動画共有システムがある。コメントとして付与されたテキスト情報等は、同一の動画を視聴する他の視聴者が同じタイムラインで再生されるため、ライブ中継でなくても臨場感があり、動画送出を介した視聴者の交流が盛んに行われている。
【０００３】
また、システム運営者や、動画を提供する動画提供者にとっても、視聴者の意見が容易に収集できるため、利便性の優れたシステムである。
【先行技術文献】
【特許文献】
【０００４】
【特許文献１】特開２００８−１４８０７１号公報
【特許文献２】特開２００８−２７８２７１号公報
【発明の概要】
【発明が解決しようとする課題】
【０００５】
しかし、従来の動画共有システムは、動画中に複数の対象が映り込んでいた場合、直接的なコメントが入力されない限り、どの対象物に対してコメントが付与されたのか判別が困難であるという問題があった。
【０００６】
また、視聴者の表現力が乏しかったり、コメントを入力するリテラシーが低かったりすると、視聴者の意思に合致した適切なコメントを付与するのが難しいという問題があった。
【０００７】
また、コメントは視聴者が自由にテキスト情報として入力するので、表現の自由度が高い反面、コメントの内容を客観的に把握するのは決して容易ではない。特にマーケティングの消費者意識調査に利用しようとすると、視聴者とマーケッターとは、通常、世代・ライフスタイル・価値観などがすべて同じであることが少ないため、コメントとして収集したデータの活用は、決して容易ではないのが現状である。
【０００８】
したがって、本発明の課題は、上記の問題を解消し、視聴者が動画の映像に対して容易に意思表示を行うことができ、動画に対する意見を的確に判断することができる動画スタンプシステム、動画スタンプシステムの端末装置、動画スタンプシステムのスタンプサーバ、動画スタンプシステムのスタンプ送信方法、動画スタンプシステムのプログラムを提供することにある。
【課題を解決するための手段】
【０００９】
以下に、課題を解決するための手段として複数の態様を説明する。これら態様は、必要に応じて任意に組み合せることができる。
【００１０】
本発明に係る動画スタンプシステムは、
動画データを送出する動画サーバと、前記動画データに対してスタンプとして付与可能なスタンプ画像データを送出するスタンプサーバと、端末装置とを有し、
スタンプサーバは、端末装置からの要求に応じて動画サーバが端末装置へ動画データを送出するよう要求するとともに端末装置へスタンプ画像データを送出し、
端末装置において動画データが再生されスタンプ付与の操作がされると、スタンプサーバは、選択されたスタンプの種類、スタンプが付与された時間、スタンプが付与された座標をスタンプ付与データとして記録し、
端末装置において動画データが再生されると過去に付与されたスタンプを動画画面に重ねて再生する
ことを特徴とする動画スタンプシステムである。
【００１１】
また、本発明に係る動画スタンプシステムは、スタンプ付与データとして、スタンプの大きさを記録するように構成してもよい。
【００１２】
また、本発明に係る動画スタンプシステムは、スタンプ画像データは、静止画データまたは動画データであるように構成してもよい。
【００１３】
また、本発明に係る動画スタンプシステムの端末装置は、
動画データを送出する動画サーバと、前記動画データに対してスタンプとして付与可能なスタンプ画像データを送出するスタンプサーバと、端末装置とを有する動画スタンプシステムにおける端末装置であって、
スタンプ画像データを記憶するスタンプ画像データ記憶部と、
スタンプ画像データ記憶部に記憶されたスタンプ画像データに対し、スタンプ画像データをユーザが選択する選択指示を受け付ける入力部と、
選択指示にしたがって選択されたスタンプ画像データのスタンプＩＤと、当該スタンプ画像データが付与された時点の動画再生時間であるスタンプ付与時間と、付与されたスタンプの動画上の座標であるスタンプ付与座標とを、スタンプ付与データとして前記スタンプサーバに送信する送信部と、
スタンプ付与データを記憶するスタンプ付与データ記憶部と、
スタンプサーバから送出されるスタンプ画像データとスタンプ付与データとを受信する受信部と、
受信部が受信したスタンプ付与データのうち、動画データの再生時間に対応するスタンプ付与時間が設定されたスタンプ付与データのスタンプＩＤを読み出し、読み出したスタンプＩＤに対応するスタンプ画像データをスタンプ画像データ記憶部から読み出し、前期スタンプ付与時間とスタンプ付与座標とにしたがって、動画データの再生時間にあわせて出力するスタンプ画像出力部とを
備えたことを特徴とする動画スタンプシステムの端末装置である。
【００１４】
また、本発明に係る動画スタンプシステムのスタンプサーバは、
動画データを送出する動画サーバと、前記動画データに対してスタンプとして付与可能なスタンプ画像データを送出するスタンプサーバと、端末装置とを有する動画スタンプシステムにおけるスタンプサーバであって、
スタンプ画像データを記憶するスタンプ画像データ記憶部と、
端末装置から送信されるスタンプＩＤと、当該スタンプＩＤに関連づけされたスタンプ画像データが付与された時点の動画再生時間であるスタンプ付与時間と、付与されたスタンプの動画上の座標であるスタンプ付与座標とをスタンプ付与データとして受信する受信部と、
スタンプ付与データを記憶するスタンプ付与データ記憶部と、
スタンプ付与データ記憶部に記憶されたスタンプ付与データを端末装置に送出するスタンプ付与データ送出部と、
スタンプ画像データ記憶部に記憶された前記スタンプ画像データを端末装置に送出するスタンプ画像データ送出部と、
を有することを特徴とする動画スタンプシステムのスタンプサーバである。
【００１５】
また、本発明に係る動画スタンプシステムのスタンプ送信方法は、
動画データを送出する動画サーバと、前記動画データに対してスタンプとして付与可能なスタンプ画像データを送出するスタンプサーバと、端末装置とを有する動画スタンプシステムにおける端末装置のスタンプ送信方法であって、
動画サーバから端末装置に送出された動画データに対応する１以上のスタンプＩＤと、当該スタンプが付与された時点の動画再生時間をスタンプ付与時間と、付与されたスタンプの動画上の座標であるスタンプ付与座標とをスタンプ付与データとして前記スタンプサーバから端末装置に送信し、
１以上のスタンプＩＤに対応する１以上のスタンプ画像データを前記スタンプサーバから端末装置に送信し、
端末装置は、１以上のスタンプ画像データを、スタンプ付与時間とスタンプ付与座標とにしたがって、動画データの再生時間にあわせて出力するとともに、
動画サーバから端末装置に送出され再生された動画データに対して新たに付与された１以上のスタンプに関するスタンプＩＤと、当該スタンプが付与された時点の動画再生時間をスタンプ付与時間と、付与されたスタンプの動画上の座標であるスタンプ付与座標とをスタンプ付与データとして端末装置からスタンプサーバに送信する
ことを特徴とする動画スタンプシステムのスタンプ送信方法である。
【００１６】
また、本発明に係る動画スタンプシステムのプログラムは、
動画データを送出する動画サーバと、前記動画データに対してスタンプとして付与可能なスタンプを送出するスタンプサーバと、端末装置とを有する動画スタンプシステムにおける端末装置のコンピュータを、
スタンプ画像データ記憶部に記憶されたスタンプ画像データに対し、ユーザから付与するスタンプを選択する選択指示を受け付ける手段、
動画サーバから送出された動画データに対し、選択指示にしたがって、スタンプ画像データ記憶部から選択されたスタンプのスタンプＩＤと、当該スタンプがスタンプとして付与された時点の動画再生時間をスタンプ付与時間と、付与されたスタンプの動画上の座標であるスタンプ付与座標とをスタンプ付与データとしてスタンプサーバに送信する手段、
スタンプサーバから送出されるスタンプ付与データを受信する受信手段、
受信したスタンプ付与データのうち、動画データの再生時間に対応するスタンプ付与時間が設定されたスタンプ付与データのスタンプＩＤを読み出し、読み出したスタンプＩＤに対応するスタンプ画像データを、スタンプ画像データ記憶部から読み出すスタンプ画像データ読み出し手段、
読み出したスタンプ画像データを、スタンプ付与時間とスタンプ付与座標とにしたがって、動画データの再生時間にあわせて出力するスタンプ画像データ出力手段、
として機能させることを特徴とする動画スタンプシステムのプログラムである。
【発明の効果】
【００１７】
本発明によれば、あらかじめ用意したスタンプを視聴者が動画に付与するので、システム管理者や動画提供者は、視聴者がどの対象物に対して興味を持ったのかについて容易に判断が可能になる。また、視聴者が選択したスタンプの種類で、視聴者の意見内容を容易に判断することができる。
【００１８】
また、視聴者は、システム管理者があらかじめ用意したスタンプを動画に付与するので、自分の意見を容易に表現することが可能になる。
【図面の簡単な説明】
【００１９】
【図１】本発明の動画スタンプシステムの構成の一実施例を示す概念図である。
【図２】本発明のスタンプサーバ２の構成の一実施例を示すブロック図である。
【図３】本発明の端末装置３の構成の一実施例を示すブロック図である。
【図４】本発明のスタンプ付与データの一実施例を示す図である。
【図５】本発明の出力装置に表示される情報の一実施例を示す図である。
【図６】本発明の動画スタンプシステムの動作の一実施例を示すフローチャートである。
【発明を実施するための形態】
【００２０】
図面を参照しながら本発明の実施の形態について詳しく説明する。
【００２１】
図１は、本発明の動画スタンプシステムの構成の一実施例を示す模式図である。図中、本発明の動画スタンプシステムは、複数の動画データが蓄積され動画データの送出を行う動画サーバ１と、複数のスタンプ画像データが蓄積されスタンプ画像データの送出を行うとともに動画上へ付与されたスタンプの種類・時間・座標等を記録するスタンプサーバ２と、動画を再生するとともにスタンプの付与を行う端末装置３とを少なくとも備えるものとして示されている。動画サーバ１、スタンプサーバ２、端末装置３は、それぞれネットワーク４を介して接続される。
【００２２】
動画サーバ１は、スタンプサーバ２または端末装置３からの送出要求に応じて、動画データを送出する。動画ファイルは一般にファイルサイズが巨大であるため、動画サーバ１が動画データの送出を行いながら端末装置３において動画の再生を行うストリーミング送出によって行うとよい。
【００２３】
本発明において使用する動画サーバ１は、動画スタンプシステムでの使用を目的としたサーバを独自に運用してもよく、また、すでに商用サービスや非商用サービスなどで運用されている動画サーバを利用するようにしてもよい。
【００２４】
スタンプサーバ２は、動画データに対して付与するスタンプ画像データを送出するものである。また、スタンプサーバ２は、動画に付したスタンプに関するスタンプ付与データを端末装置３から受信し、その動画を同時刻または別時刻に閲覧する他の端末装置３に対してスタンプ付与データを送出するものである。
【００２５】
図２は、スタンプサーバ２の構成の一実施例を示すブロック図である。
【００２６】
スタンプ画像データ記憶部２１は、視聴者が付与するスタンプ画像をスタンプ画像データとして記憶する。スタンプ付与データ記憶部２２は、付与されたスタンプに関する情報をスタンプ付与データとして記憶する。
【００２７】
スタンプ画像データ記憶部２１には、動画サーバ１から送出された動画に対して端末装置３のユーザである視聴者が付与するスタンプ画像データが複数記憶されている。
【００２８】
スタンプ画像データは、視聴者が動画を視聴中に動画に付与し、動画に重ねて表示させる静止画または動画からなる比較的小さなサイズの画像データである。スタンプ画像データは、動画の視聴者が動画の画面上にドラッグアンドドロップする「置く」動作や、マウスクリックやタップなどの「押す」動作によって動画の画面上に付与するものであり、動画の映像中に映し出された対象者や対象物に対する視聴者の反応を表すものとして用いる。
【００２９】
すなわち、スタンプは、視聴者の意見、感情、意思などを表現する記号として用いるものである。スタンプの種類としては、同意・不同意などの意見、良い・悪いやおもしろい・つまらないなどの評価、好き・嫌いなどの感情、欲しい・要らないなどの購買意欲などを表現するものを準備するとよい。あらかじめ複数種類のスタンプを用意することにより、視聴者は、自分の意見、感情、意思などを容易に表現することが可能になる。また、動画に付与されたスタンプの種類から、他の視聴者の意見、感情、意思などを容易に理解することが可能になる。また、スタンプの絵柄を工夫することにより、微妙なニュアンスを含む場合であっても、区別して表現することが可能になる。
【００３０】
スタンプ付与データ記憶部２２には、動画サーバ１から送出されたどの動画にどのスタンプが付与されたかを記録したスタンプ付与データが複数記憶されている。各スタンプ付与データは、動画を識別する動画ＩＤの情報を含み、どの動画に付したスタンプであるのかを識別できるようになっている。
【００３１】
スタンプ付与データ記憶部２２に記憶される情報の一例を図３に示す。
【００３２】
スタンプ付与データは、動画ＩＤ、スタンプ画像ＩＤ、スタンプ付与時間、スタンプ座標を含むものである。スタンプ画像ＩＤは、各スタンプ画像データを識別可能にする符号である。
【００３３】
スタンプ付与時間は、各動画における時間軸上のどの時点でスタンプの付与が開始されたかを示す時間であって、最初の画面から経過した時間である。スタンプ座標は、動画のどの位置にスタンプが付与されたかを示す情報であって、端末装置３の入力装置であるマウスやタッチパネルなどでドラッグアンドドロップなどの「置く」動作や、マウスクリックやタップなどの「押す」動作がされた位置を示す情報である。
【００３４】
また、必要に応じて、スタンプ画像の大きさの拡大率を示すスタンプサイズ、スタンプを付与した実際の時刻を示すスタンプ付与時刻を含むようにしてもよい。
【００３５】
スタンプサイズは、同一の絵柄でサイズの異なるスタンプ画像データを複数用意した場合、視聴者がどのサイズのスタンプ画像データを選んだかを示す情報である。また、スタンプ画像データのサイズを１種類用意し、視聴者がスタンプ画像のサイズを任意に拡大または縮小できるようにした場合、視聴者がスタンプを付与する際にどのようなサイズにしたかを示す情報である。スタンプサイズを変化させることにより、視聴者の意見、感情、意思などの強弱を容易に表現することが可能になる。
【００３６】
スタンプ付与時刻は、視聴者がスタンプを付与した実際の時刻を示す情報である。
【００３７】
視聴者が一つの動画を視聴してスタンプを付与すると、１以上のスタンプ付与データが発生するため、これらのスタンプ付与データがスタンプサーバ２のスタンプ付与データ記憶部２２に順次記録される。
【００３８】
通信部２３は、端末装置３から送信されるスタンプ付与データを受信する。
【００３９】
スタンプ画像データ送出部２４は、通信部２３からの指示にしたがって、スタンプ画像データ記憶部２１に記憶されたスタンプ画像データを端末装置３に送出する。
【００４０】
スタンプ付与データ送出部２５は、通信部２３からの指示にしたがって、スタンプ付与データ記憶部２２に記憶されたスタンプ付与データを端末装置３に送出する。
【００４１】
端末装置３は、ネットワーク４を介して動画サーバ１とスタンプサーバ２に接続することが可能であり、動画サーバ１から送出される動画データを受信して再生するとともに、スタンプサーバ２から送出されるスタンプ画像データを受信し、受信したスタンプを動画に重ねて見えるように出力するものである。
【００４２】
図３は、端末装置３の構成の一実施例を示すブロック図である。
【００４３】
動画再生部３１は、端末装置３のユーザである視聴者によって指定された動画の送出要求を動画サーバ１またはスタンプサーバ２に送信し、動画サーバ１から送出される動画を受信して再生する。本発明において、動画データは動画サーバ１から送出されるが、動画サーバ１に対する動画の送出要求は、端末装置３から直接動画サーバ１へ行ってもよく、また、スタンプサーバ２を介して動画サーバ１へ行うようにしてもよい。スタンプサーバ２を介して動画の送出要求を行う場合は、スタンプサーバ２をいわば司令塔として動作させることになるため、動画サーバ１としては、商用または非商用の通常運用されているサーバを特段の仕組みを施すことなくそのまま利用することが可能になる。
【００４４】
スタンプ画像出力部３２は、スタンプ画像データ記憶部３３に記憶されたスタンプ画像データに基づいて、視聴者が利用することができるスタンプのリストをスタンプ画像一覧として出力装置３４の表示画面に表示する。また、スタンプ画像出力部３２は、スタンプ画像データ記憶部３３に記憶されていない場合は、新たにスタンプ画像データを、ダウンロード部３５によって、スタンプサーバ２からダウンロードさせる。
【００４５】
出力装置３４に表示される情報について説明する。図５は、出力装置３４に表示される情報の一実施例を示す図である。
【００４６】
表示欄５１には、アクセスしたスタンプサーバ２のＵＲＬが表示される。
【００４７】
表示欄５２には、動画出力部によって表示される動画が表示される。
【００４８】
表示欄５３は、視聴者が利用可能なスタンプの一覧がリスト表示される領域である。ここでマウスクリックやタップなどの操作により視聴者がスタンプを選択し、動画の表示欄上でドラッグアンドドロップなどのスタンプを「置く」動作や、マウスクリックやタップなどのスタンプを「押す」動作をすると、表示欄５２によって表示される動画上にスタンプが一定時間表示される。また、端末装置３の入力装置３６により動画にスタンプが付与される動作を行うことにより、入力部３７はスタンプ画像ＩＤ・スタンプ付与時間・スタンプ座標などからなるスタンプ付与データを生成し、送信部３８からスタンプ付与データをスタンプサーバ２に対して送出する。スタンプ付与データが、スタンプ画像ＩＤ・スタンプ付与時間・スタンプ座標の３要素を備えることにより、視聴者が動画に映し出された映像のどの箇所に対してスタンプを付与したかを特定することが可能になる。
【００４９】
また、視聴者がスタンプの大きさを任意に変化させて付与することができるようにしてもよい。スタンプの大きさを変化させるには、あらかじめサイズの異なるスタンプ画像を複数用意するとよい。また、スタンプのサイズを変化させるため、表示欄５４に示すようなボタンやスライダーなどを用意し、マウスやタッチパネルなどの入力装置により操作するようにしてもよい。また、長押しや２回クリック・３回クリックなどのマウス操作や、長押しやピンチなどのタッチパネル操作により、スタンプのサイズを変化させるようにしてもよい。また、Ｘ軸Ｙ軸方向の座標検出だけでなくＺ軸の入力強度検出が可能な入力装置を用い、押す力の強弱によってスタンプのサイズを変化させるようにしてもよい。
【００５０】
スタンプを付してスタンプが表示されてからスタンプの表示が終了するまでの時間（スタンプが継続的に表示される時間）は、システム運用者が任意に決定し、視聴者にとってスタンプを消去する操作が不要になるようにするとよい。また、視聴者がスタンプを付与する操作を行った際の、マウスクリックが継続した時間（長押しされた時間）やタップが継続した時間（長押しされた時間）に応じて、スタンプが継続的に表示される時間を長短可能にしてもよい。また、スタンプが継続して表示される時間は、視聴者が任意に決定できるようにしてもよい。
【００５１】
表示欄５５には、動画の再生ボタン、停止ボタン、巻き戻しボタン、早送りボタン、音量調整ボタン、動画全体のどのあたりを再生しているのかを示す再生状態表示欄等が表示されており、マウスやタッチパネルなどの入力装置によってそのボタンに応じた操作が可能である。
【００５２】
また、必要に応じて、再生される動画の動画ＩＤや、現在表示されている動画の閲覧回数や、動画全体の再生時間長や、現在表示欄５２に表示されている動画の動画再生時間などを表示するようにしてもよい。
【００５３】
入力部３７は、マウス、タッチパネル、キーボード、入力ボタンなどの入力装置３６によってスタンプ付与の操作がされて入力された情報を受け付ける。たとえば、入力部３７は、スタンプ画像データ記憶部３３に記憶され、スタンプ画像出力部３２によって表示欄５３に表示されたスタンプ一覧のうち、入力装置３６によって視聴者が選択したスタンプ選択指示の入力を受け付ける。
【００５４】
スタンプ画像出力部３２は、入力装置３６によって選択されたスタンプのスタンプ画像データをスタンプ画像データ記憶部３３から読み出し、スタンプ付与データをスタンプ付与データ記憶部４０から読み出す。スタンプ画像データは、スタンプ付与データのスタンプ画像ＩＤ・スタンプ付与時間・スタンプ座標に基づいて、出力装置３４に動画とともに出力される。また、スタンプ画像出力部３２は、他の視聴者が付与したスタンプについて端末装置３の受信部３９を介してスタンプ付与データ記憶部４０に記録されたスタンプ付与データに基づき、スタンプ画像データをスタンプ画像データ記憶部３３から読み出し、スタンプ付与データのスタンプ画像ＩＤ・スタンプ付与時間・スタンプ座標に基づいて、出力装置３４に動画とともにスタンプ画像データを出力する。
【００５５】
ダウンロード部３５は、スタンプサーバ２からスタンプ画像データをダウンロードしてスタンプ画像データ記憶部３３に記憶する。
【００５６】
受信部３９は、再生する動画に対して他の視聴者が入力したスタンプ付与データをスタンプサーバ２から受信する。スタンプ付与データ記憶部４０は、受信部３９が受信したスタンプ付与データを記憶する。
【００５７】
出力装置３４は、ディスプレイ装置や音声出力装置であり、これらによって動画データやスタンプ画像データを視聴可能に出力する。
【００５８】
動画出力部４１は、再生される動画の動画再生時間を動画再生部３１から取得する。また、スタンプ画像出力部３２は、スタンプ付与データ記憶部４０に記憶されたスタンプ付与データのうち、取得した動画の動画再生時間に対応するスタンプ付与時間が対応づけられたスタンプ画像データをスタンプ画像データ記憶部３３から読み出し、出力装置３４によって出力する。
【００５９】
また、スタンプ画像出力部３２は、スタンプ付与データ記憶部４０に記憶されたスタンプデータに対応するスタンプ画像データが、スタンプ画像データ記憶部３３に記憶されていない場合に、当該スタンプ画像データを、ダウンロード部３５によって、スタンプサーバ２からダウンロードさせる。
【００６０】
端末装置３としては、上記の機能を実現可能なものであればよく、たとえば、ＰＣ、スマートフォン、タブレット端末、ゲーム機器等が適用可能である。
【００６１】
図６は、本発明の動画スタンプシステムの動作の一実施例を示すフローチャートである。次いで、動画にスタンプを付与する際の動画スタンプシステムの動作について説明する。
【００６２】
まず、動画リストの送出要求が端末装置３からスタンプサーバ２に対して行われる（ステップＳ０１）。
【００６３】
スタンプサーバ２の通信部２３は、動画リストの送出要求を端末装置３から受信したら、通信部２３は、送出要求に含まれる動画ＩＤを動画データ要求部２６に出力する。動画データ要求部２６は、動画ＩＤに対応する動画リストの送出を動画サーバ１に要求し（ステップＳ０２）、動画サーバ１は端末装置３に対して動画リストを送信する（ステップＳ０３）。
【００６４】
端末装置３の動画再生部３１は、入力装置３６から再生対象となる動画が動画リストにおいて視聴者から選択の入力がなされ、さらに、動画再生の指示が入力されると、動画データの送出要求が端末装置３からスタンプサーバ２に対して行われる（ステップＳ０４）。
【００６５】
スタンプサーバ２の通信部２３は、動画データの送出要求を端末装置３から受信したら、通信部２３は、送出要求に含まれる動画ＩＤを動画データ要求部２６に出力する。動画データ要求部２６は、動画ＩＤに対応する動画データの送出を動画サーバ１に要求し（ステップＳ０５）、動画サーバ１は端末装置３に対して動画データを送信する（ステップＳ０６）。
【００６６】
また、スタンプサーバ２は、選択された動画の動画ＩＤを動画サーバ１に送信して動画送出要求を行う（ステップＳ０５）とともに、動画ＩＤに対応するスタンプ付与データを端末装置３に送出する（ステップＳ０７）。端末装置３は、スタンプ付与データを受信してスタンプ付与データ記憶部４０に記憶する。ここでは、スタンプ付与データとして、スタンプ画像ＩＤ、スタンプ付与時間、スタンプ付与座標を受信する。
【００６７】
また、スタンプサーバ２は、スタンプ画像データを端末装置３へ送出し（ステップＳ０８）、端末装置３はスタンプ画像データのダウンロードを行う。スタンプ画像データは通常複数あるため、スタンプ付与時間が早い順（動画を再生した場合に先に表示される順）にスタンプ画像データをダウンロードする。
【００６８】
次に、端末装置３は、ダウンロードの受信時間があらかじめ決められた時間を経過したか、あるいは、スタンプ付与時間にしたがったスタンプを出力するまでにダウンロードが完了する場合には、動画サーバ１から送出される動画の再生を開始する（ステップＳ０９）。
【００６９】
端末装置３は、スタンプの入力がされた場合（ステップＳ１０）には、スタンプＩＤ、スタンプ付与時間、スタンプ付与座標等からなるスタンプ付与データをスタンプサーバ２に送信する（ステップＳ１１）。
【００７０】
また、端末装置３は、スタンプ付与データのスタンプ付与時間に基づき、スタンプＩＤに対応するスタンプ画像データをスタンプ画像データ記憶部３３から読み出し、スタンプ画像出力部３２がスタンプ付与座標に基づいて動画が再生されている出力装置３４にスタンプを重ねて見えるように表示する（ステップＳ１２）。
【００７１】
このような処理が行われることにより、端末装置３の出力装置３４には、各種スタンプが動画の再生時間に合わせて順次出力される。スタンプは、図５に示す表示領域１０５内に動画とともに表示される。
【００７２】
以上説明した実施形態においては、付与されたスタンプを付与した視聴者が消去したり、付与した視聴者以外の視聴者が消去できるようにしてもよい。ここでのスタンプの消去は、たとえば、端末装置３を介して入力される、そのスタンプ消去の権限を有する視聴者からのスタンプ消去指示に応じて、画面上に表示されないようにすることができる。また、スタンプの消去の権限を直接持っていない視聴者であっても、動画の見やすさを確保するために、スタンプを半透明状態、あるいは、スタンプを表示させないようすることが可能である。ここでは、このスタンプ消去の指示をスタンプサーバ２が受信し、スタンプ付与データ記憶部２２からスタンプを消去してもよいし、消去指示が入力されたスタンプの表示方法を非表示に設定したり、あるいは、消去指示の数に応じて半透明や透明にしたりすることが可能である。
【００７３】
また、同一の動画に多数のスタンプが付与されると、視聴者にとって動画が見えにくくなるため、一定時間の一定座標範囲に付与されたスタンプの数が一定数以上に達した場合、同時に表示するスタンプの数を少なくするようにしてもよい。表示数を減少させるには、スタンプが付与された実際の時刻であるスタンプ付与時刻が最新のものから一定数表示させるようにすることができる。また、付与されたスタンプの種類の全体を平均するように一定する表示させることができる。また、付与されたスタンプの多数意見を選択して表示させることができる。また、初期に付与されたスタンプのみを表示させたり、初期に付与されたスタンプと直近に付与されたスタンプとを適宜混合して表示させたりすることができる。特に、初期においては視聴者の意見が多様で収斂していないことが多いため、初期に付与されたスタンプが表示されるようにしておけば、動画を新規に視聴するユーザが自身の意見を素直に表明しやすい状態にできる。
【００７４】
また、上述した実施形態において、スタンプ付与に用いられるスタンプは、視聴者が端末装置３によってスタンプサーバ２からあらかじめ用意されたスタンプ画像データがダウンロードされる場合について説明したが、視聴者自身がオリジナルのスタンプ画像データを作成し、スタンプサーバ２にアップロードしてスタンプとして使用できるようにしてもよい。
【００７５】
また、スマートフォン、タブレット端末、携帯ゲーム機などの動画を再生する機能を有する端末装置に対し、上述した端末装置３の機能との差分の機能を有するプログラムをインストールし、上述した端末装置３の機能を実現するようにしてもよい。
【００７６】
また、上述した実施形態において、スタンプサーバ２の機能を実現するためのプログラム、あるいは、端末装置３の機能を実現するためのプログラムをコンピュータ読み取り可能な記録媒体に記録して、この記録媒体に記録されたプログラムをコンピュータシステムに読み込ませ、実行することによりスタンプの送出、スタンプの表示制御を行ってもよい。また、端末装置３の機能を実現するためのプログラムを、既存の端末装置にプラグインとして適用するようにしてもよい。なお、ここでいう「コンピュータシステム」とは、ＯＳや周辺機器等のハードウェアを含むものとする。
【００７７】
また、「コンピュータシステム」は、ＷＷＷシステムを利用している場合であれば、ホームページ提供環境（あるいは表示環境）も含むものとする。
【００７８】
また、「コンピュータ読み取り可能な記録媒体」とは、フレキシブルディスク、光磁気ディスク、ＲＯＭ、ＣＤ?ＲＯＭ等の可搬媒体、コンピュータシステムに内蔵されるハードディスク等の記憶装置のことをいう。さらに「コンピュータ読み取り可能な記録媒体」とは、サーバやクライアントとなるコンピュータシステム内部の揮発性メモリのように、一定時間プログラムを保持しているものも含むものとする。また上記プログラムは、前述した機能の一部を実現するためのものであってもよく、さらに前述した機能をコンピュータシステムにすでに記録されているプログラムとの組み合わせで実現できるものであってもよい。
【００７９】
以上、本発明の一実施形態について説明したが、本発明は上記実施形態に限定されるものではなく、発明の要旨を逸脱しない範囲で種々の変更が可能である。特に、本明細書に書かれた複数の実施形態および変形例は必要に応じて任意に組み合わせが可能である。
【産業上の利用可能性】
【００８０】
本発明は、マーケティング活動における消費者意識調査などに広く適用できる。
【符号の説明】
【００８１】
１  動画サーバ
２  スタンプサーバ
３  端末装置
４  ネットワーク
２１  スタンプ画像データ記憶部
２２  スタンプ付与データ記憶部
２３  通信部
２４  スタンプ画像データ送出部
２５  スタンプ付与データ送出部
２６  動画データ要求部
３１  動画再生部
３２  スタンプ画像出力部
３３  スタンプ画像データ記憶部
３４  出力装置
３５  ダウンロード部
３６  入力装置
３７  入力部
３８  送信部
３９  受信部
４０  スタンプ付与データ記憶部
４１  動画出力部
【図１】
2015073175.tif 000003
【図２】
2015073175.tif 000004
【図３】
2015073175.tif 000005
【図４】
2015073175.tif 000006
【図５】
2015073175.tif 000007
【図６】
2015073175.tif 000008